(57)【要約】【課題】  本発明の課題は、学費あるいは生活費の支援を求める人が、将来の支払不能のリスクを回避しつつ安全に生活費の支援を受けるとともに、支援する人が社会貢献度あるいは将来の配当金の期待値等からシステムに対する出資を表明し、双方の条件に適合する相手方を斡旋し、双方の便宜を図るためのシステムを提供する。【解決手段】  被支援者の情報を入力する被支援者向けページと、支援者の情報を入力する支援者向けページと、被支援者あるいは支援者が公開するとした情報のみを掲載する被支援者と支援者の求める相手方の一覧を掲載するページを備え、システム管理者の統合管理の基に運用され、被支援者と支援者の仲介を行い、ＰＣ端末または各種移動端末からアクセス可能に構成される、ことを特徴とするインターネット等のネットワークによる生活支援システムによって解決される。【選択図】図１
2010262617.tif 000002
【特許請求の範囲】
【請求項１】
学生・生徒・社会人等支援される人が在籍する学校、学科、現在の成績、将来の希望や可能性あるいは現在の勤務先や給料あるいは今後の出世の可能性や現在抱える借入金などの支援される人の情報と、その情報の内支援される人が公開するとする情報と、支援を求める金額と、返済条件、を入力する支援される人募集を行う支援される人向けページと、企業・個人等の支援する人の情報と、その情報の内支援する人が公開するとする情報と、支援金額と、希望する支援される人の特徴と、支援される人の返済条件、を入力する支援企業あるいは支援個人等の支援者募集を行う支援者向けページと、支援される人あるいは支援者が公開するとした情報のみを掲載する支援される人と支援者の求める相手方の条件に適合する相手方の一覧を掲載するページを備え、システム管理者の統合管理の基に運用され、支援される人と支援者の仲介を行い、支援される人への支援金の支出、支援される人からの返済金の受け取り、支援者からの支援金の受け取り、支援者への支払い等の業務が行われるシステムであって、ＰＣ端末または各種移動端末からアクセス可能に構成される、ことを特徴とするインターネットまたはコンピューターを用いたネットワークによる生活支援システム。
【請求項２】
前記支援される人向けページには、支援金に対して将来支払う返済金を、支援される人の将来のある年または前年あるいは一定期間の年収の割合に応じて、一定期間支払うこととし、支援される人の入力された情報から算出された、支援される人の将来の所得金額の期待値やその所得金額から算出される返済金の期待値および将来の所得金額と現在抱える借入金から計算される返済可能金額の期待値の情報が掲載される、ことを特徴とする請求項１に記載の生活支援システム。
【請求項３】
前記支援者が、支援金として出資した金額に対する将来受け取る配当金を、支援される人の将来のある年または前年あるいは一定期間の年収の割合に応じて返済金を算定して一定期間受け取る、ことを特徴とする請求項１ないし２のいずれかに記載の生活支援システム。
【請求項４】
前記支援される人向けページと支援者向けページとは別に、支援される人の要請した支援金データおよび入力された情報から算出される支援される人の将来の所得金額の期待値やその所得金額から算出される返済金の期待値および返済可能金額の期待値、支援者の表明した支援金および支援者の受け取る配当金の期待値の情報を掲示するページを備える、ことを特徴とする請求項１ないし３のいずれかに記載の生活支援システム。
【請求項５】
前記システムがシステム管理者またはシステムの運営者の全体的な統括・運用の基に、支援者からの支援金をシステム管理者が出資金として受け取り、支援される人に支援し、支援される人からの返済金をシステム管理者が受け取り、これを配当金として支援者に返還していく、ことを特徴とする請求項１ないし４のいずれかに記載の生活支援システム。
【請求項６】
前記の支援される人を個々の支援される人に特化した場合やいくつかグループに分けた場合あるいはそれらをいくつか組み合わせた場合が選択でき、これらの場合分けによる出資した金額に対する支援者が将来受け取る配当金の期待値の情報が掲載される、ことを特徴とする請求項１ないし５のいずれかに記載の生活支援システム。
【請求項７】
前記支援される人が、グループもしくは個人あるいは企業を含む組織である、ことを特徴とする請求項１ないし６のいずれかに記載の生活支援システム。
【請求項８】
前記支援される人が支払う返済金に一定の上限を設けたり一定の所得金額以下は返済金の支払いを免除したり、支援者がある一定の配当金を受け取れるように、保険会社と保険契約を締結する、ことを特徴とする請求項１ないし７のいずれかに記載の生活支援システム。
【発明の詳細な説明】
【技術分野】
【０００１】  本発明は、インターネットにより大学生・高校生・専門学校生あるいは社会人（以下、「学生・生徒・社会人」という）のグループもしくは個人と支援企業あるいは支援者とを結び、両者間の相互利益を図るべく仲介を行うインターネットまたはコンピューターを用いたネットワークによる生活支援システムに関する。
【背景技術】
【０００２】  近年、学生生活には多くの費用がかかり、多くは親からの仕送り、アルバイト、奨学金等でその費用をまかなってきた。しかし、不況により親の収入やアルバイトの収入が減少しており、奨学金にしても枠があり、これら通常の支援システムだけでは安心して進学できない状況にある。【０００３】  また、大学を卒業後就職して一定の収入がある場合でも、勤めている企業の倒産あるいはリストラ等により将来の失業の危険性があり、ローンで高額の商品を購入する場合、将来支払不能になる危険性がある。また、勤めがアルバイトや非正規である場合は、高額な出費が必要になってもローンを組めない状況にある。【０００４】  また、今日経済の変化のスピードが速く、将来にわたっての安定的な産業あるいは職種がわからなくなってきている。借りる側からすれば、このような不確実な社会の中で一定の額の返済を将来にわたって続けることはかなりのリスクをともなう。このため、長期にわたってローンを組むことが非常に難しくなってきている。一方貸す側からすれば一定の収益を確保することがより一層求められている。
【発明の概要】
【発明が解決しようとする課題】
【０００５】  本発明の課題は、上述のような背景を踏まえて、学生・生徒・社会人等が将来の支払不能のリスクを回避しつつ安全に学費あるいは生活費の支援を受けることをインターネットまたはコンピューターを用いたネットワークを介してシステムを運営する会社または個人または組織に対して要請し、一方支援者側は学生・生徒・社会人支援に対する社会貢献度あるいはこのシステムの過去の運営実績や将来の可能性から算出される支援金に対して得られる将来の配当金の期待値等から、システムに対する出資を表明し、双方の条件に適合する相手方を斡旋し、双方の便宜を図るためのインターネットまたはコンピューターを用いたネットワークによる生活支援システムを提供することにある。
【課題を解決するための手段】
【０００６】  本発明の課題は、学生・生徒・社会人等支援される人が、在籍する学校あるいは学科や現在の成績あるいは将来の希望や可能性あるいは現在の勤務先や給料や今後の出世の可能性あるいは現在抱える借入金などの被支援者情報と、その情報の内被支援者が公開するとする情報と、支援を求める金額と、返済条件、を入力する被支援者募集を行う被支援者向けページと、企業・個人等の支援する人の情報と、その情報の内支援する人が公開するとする情報と、支援金額と、希望する被支援者の特徴、被支援者の返済条件、を入力する支援企業あるいは支援個人等の支援者募集を行う支援者向けのページと、被支援者あるいは支援者が公開するとした情報のみを掲載する被支援者と支援者の求める相手方の条件に適合する相手方の一覧を掲載するページを備え、システム管理者の統合管理の基に運用され、被支援者と支援者の仲介を行い、被支援者への支援金の支出、被支援者からの返済金の受け取り、支援者からの支援金の受け取り、支援者への支払い等の業務が行われるシステムであって、ＰＣ端末または各種移動端末からアクセス可能に構成される、ことを特徴とするインターネットまたはコンピューターを用いたネットワークによる生活支援システム（以下、「本システム」という。）によって解決される。ここで、被支援者とは学生・生徒・社会人等支援者から支援される者をいう。（以下、「被支援者」という。）また、入力する返済条件にはある一定の範囲を含むものとする。また、被支援者の特徴とは、被支援者の在籍する学校あるいは学科や現在の成績あるいは将来の希望や可能性あるいは現在の勤務先や給料や今後の出世の可能性あるいは現在抱える借入金などの被支援者情報をいう。【０００７】  また、前記の被支援者は返済条件を支援金に対して将来支払う返済金を被支援者の将来のある年または前年あるいは一定期間の年収の割合に応じて一定期間支払うことにすることにより、学生・生徒は奨学金の場合は就職できなかった場合でも必ず返済しなければならないのに対して、年収の少なかった年は少なく返済し、年収の多かった年は多く返済することができる。一定期間経過後、結果的にもらった支援金以上返済する場合もあれば、以下しか返済しない場合もある。これは学生・生徒の側から見れば出世払いとなり、将来の支払不能のリスクが軽減され、精神的には非常に楽である。【０００８】  また、同様に社会人の場合、ローンを組んで将来もし失業したとすると、ローンの支払いが重くのしかかってくるのに対して、年収の少なかった年は少なく返済し、年収の多かった年は多く返済することにより、支払不能のリスクを軽減出来る。また、現在失業中の人も将来就職する可能性から資金を調達できる。【０００９】  この場合被支援者の将来の所得金額の算出が重要になってくる。このため、前記システムには、被支援者の要請した支援金データおよび入力された被支援者の情報から算出される被支援者の将来の所得金額の期待値およびその所得金額から算出される返済金の期待値および将来の所得金額と現在抱える借入金から計算される返済可能金額の期待値、支援者の表明した支援金としての出資した金額および支援者の受け取る配当金の期待値の情報を掲示するページを備え���いる。このページは被支援者向けページと支援者向けページに設定することもできるし、別に設定することもできる。【００１０】  前記被支援者の将来の所得金額の期待値の算出方法としては各種方法が考えられる。例えば、過去の学生・生徒の学校あるいは成績等からの就職企業のデータおよび就職した企業の平均的な所得金額から算出することが出来る。また、現在就職している人であればその企業の平均所得のデータを用いることが出来る。また、本システムが運営されデータが蓄積されていけば、過去の被支援者のデータを用いることもできる。【００１１】  しかし、将来の所得金額の期待値は、あくまで現在のデータを基にした将来予測であって、かなりの不確実性を有している。このため、被支援者すなわち借りる側からすれば、返済条件がよい方がよい。例えば返済金額の所得金額に対する返済割合が低い方がよい。一方、支援者すなわち貸す側からすればより多くの利益が得られる方がよい。例えば返済金額の所得金額に対する割合が高い方がよい。通常は本システムの過去の契約状況をみながら条件設定されると考えられるが、被支援者・支援者とも、個人差があることやすべての情報が公開されていないことから、最初に入力した条件で契約するかどうかは判断に迷うところである。【００１２】  また、所得が多くても支出が多い場合は返済可能金額が少なくなる。このため、本システムでは現在抱える借入金から将来の支出を計算し、将来の所得金額と標準的なライフサイクルから返済可能金額の期待値を計算して掲載するものとする。また、本システムで契約後、ローン等の借入金の契約をすることには一定の制約を課するものとする。【００１３】  このため、本システムでは、ある一定の期間を設けて、被支援者と支援者の情報の内、被支援者と支援者が公開するとした情報のみを掲示し、被支援者と支援者の条件を提示し、双方の条件に適合する相手方をいくつか提示し、最も有利な条件を提示した相手方を斡旋するものとする。そして斡旋された被支援者及び支援者を契約候補者とする。なお、支援者が被支援者の選別をする時に付ける条件としては、被支援者の特徴のうち、大学あるいは借入金の有無などの条件が考えられる。【００１４】  この場合、個人の情報をすべて公開して行えば、支援者としては、被支援者の将来の所得金額の期待値についてもある程度の確実性が伴うため、被支援者・支援者とも条件がほぼ最良のものと判断することが出来る。しかし、個人情報保護の観点から、すべての情報公開はとても許されるものではない。【００１５】  このため、本システムでは、被支援者の情報の公開範囲は、被支援者で決めるものとする。すなわち、被支援者が、例えば大学名も学部名も公開せずに条件提示したときに、得られた支援者の返済条件が不満な場合、再度今度は大学名と学部名を公開して条件提示できるものとする。このようにすることにより、最初の条件提示期間に支援候補者が現れなかった場合でも、例えば大学名を明らかにすることにより支援者候補が現れる場合もあるからである。また、同様に被支援者が在籍する学部や学科を公開することにより、より有利な条件の支援者候補者が現れるかもしれない。そして、どの時点で契約するかも被支援者が決める���のとする。【００１６】  同様に、本システムでは、支援者の情報の公開範囲も支援者で決めるものとする。これは、支援者が、本システムへの支援を学生・生徒・社会人への社会貢献として行っている場合は支援者情報が公開されても問題ないと考えられるが、投資として行っている場合は公開されない方がよい場合があるからである。そして、どの時点で契約するかも支援者が決めるものとする。【００１７】  このため、本システムでは被支援者と支援者が直接契約するのではなく、被支援者とシステム管理者、支援者とシステム管理者が契約するものとする。なお、被支援者支援者双方が合意すればシステム管理者は仲介のみを行い、被支援者と支援者が直接契約してもよいものとする。【００１８】  なお、被支援者の要請した支援金データおよび入力された被支援者の情報から算出される被支援者の将来の所得金額の期待値やその所得金額から算出される返済金の期待値および返済可能金額の期待値、支援者の表明した支援金および支援者の受け取る配当金の期待値の情報を掲示するページは、前記被支援者向けページと支援者向けページとは別に設定してもよい。【００１９】  本システムへの出資を、支援者が投資として行っている場合は、支援者としてはリスクを分散したいものである。このため、前記の支援者向けページには支援する学生・生徒・社会人等の被支援者を個々の学生・生徒・社会人等に特化した場合やいくつかグループに分けた場合あるいはそれらをいくつか組み合わせた場合が選択でき、これらの場合分けによる出資した金額に対する支援者が将来受け取る配当金の期待値の情報が掲載される。このページは支援者向けページとは別に設定することもできる。【００２０】  また、被支援者にすれば、返済金は少ない方がよいし失業した場合は生活費にも困る場合があることから、支払う返済金に一定の上限を設けたり一定の所得金額以下は返済金の支払いを免除したりすることができるものとする。しかし、支援者の側にしてみればあまりにも配当が少ない場合は支援者が困窮する場合もあり、その救済のために、支援者がある一定の配当を受け取れるように、本システムでは配当金の支払いについて支援者が希望した場合保険会社と保険契約を締結することもできるものとする。【００２１】  また、本システムでは被支援者は、グループもしくは個人あるいは企業を含む組織でもよい。企業が支援される場合は、企業のデータを入力し、これに対して支援者が資金を出資することになる。支援される企業が中小企業の場合は社会貢献となる。また、支援される企業が地場産業の場合は地域振興となる。【００２２】  また、被支援者が企業の場合、企業がその会社のこれまでの業績から返済期間を短く設定することにより当座の運転資金を得ることもできる。また、将来の可能性から返済期間を長く設定することにより、長期的な開発資金を得ることもできる。これは株式公開と異なって支援者が会社の経営に関与しないため、その会社の長期戦略を維持できる。また、銀行から融資を受ける場合と異なって、会社の業績に応じた返済が可能となる。【００２３】  支援者としては、支援企業あるいは支援個人あるいは組織等、支援金を出資できる人あるいは組織なら、特に制限を設けるもではない。融資あるいは出資等により資金を有する会社あるいは組織でもよい。極端な場合、システム管理者が融資あるいは出資等で資金を調達し支援者となってもよいし、銀行が本システムを運用してもよい。【００２４】  また、本システムの管理者は、本システム全体を統括・運用し、被支援者と支援者側の便宜を図り、現在受取り可能な金額および将来の配当金に関する期待値等を作成して本システムの適正な運用を行うもので、個人であり得ることはもとより複数者からなる集合体（組織）としても構成し得るものである。【００２５】  また、本システムの管理者は、本システムの運営者として被支援者の募集、支援者の募集、支援者からの出資金の受け取り、被支援者への支援金の支出、被支援者からの返済金の受け取り、支援者への配当金の支払い等の業務を行う。なお、本システムの管理者は本システムの運営あるいは業務の内の全部または一部を他の者に行わせることもできる。【００２６】  また、本システムの管理者は、掲載時期の管理や不正な掲載内容の出現を排除する等の機能を発揮せしめるものとすることができる。【００２７】  被支援者や支援者側個々の利用者がアクセスするための端末装置はインターネットへの接続に適合するものが使用可能であり、例えばＰＣ（パーソナルコンピュータ）端末をはじめ、ディスプレイ付きの専用端末、各種モバイル機器、ｉモード端末等の移動端末を使用することができる。また、インターネットだけでなく、いくつかのコンピューターがオンラインによりネットワーク化されて、複数の人がデータの入力およびデータの検索閲覧ができるシステムであってもよい。【００２８】  本システムによれば、被支援者側は、自分の在籍している学校・成績・能力・将来の希望・可能性あるいは現在の勤務先や給料あるいは今後の出世の可能性や現在抱える借入金あるいは会社の業績等から、現在自分が受け取ることが可能な支援金の期待値が入手可能であり、自分の希望する返済条件と合致すれば仮契約することができる。契約内容の詳細はシステム管理者を介して後日契約書として正式に契約する。【００２９】  支援者側は、被支援者側から求められる支援者の募集情報を、移動端末またはＰＣを介して本システムにアクセスすることによって常時確認可能であり、募集要項に適合するように入力して応募の意思表示を行うことができる。【００３０】  支援者側は、支援した被支援者、あるいはグループ分けした被支援者が将来当時の期待値以上の優れた能力を発揮することにより、たとえば、返済金を被支援者の年収の割合に応じて一定期間受け取ることにより、応募時の出資金以上の金額を受け取る場合もある。しかし、期待値以下の場合は応募時の出資金以下の金額しか受け取れない場合もある。しかし、この場合も、支援者がたとえば企業の場合は、被支援者支援による社会貢献として宣伝することもできる。【００３１】  本システムの運用経費は、種々の形態が採用可能であるが、例えば返済金より一定額あるいはまたは一定割合を受け取ることにより個人または企業が事業として行うこともできるし、また、例えば個人あるいは企業または大学または公人等の組織が社会貢献の一環として無料で行うことも可能である。また、ホームページの広告��収入でまかなうこともできる。
【発明の効果】
【００３２】  以上説明したように、本システムによれば、被支援者は、本システムを利用して広く一般から生活に必要な資金を得ることが出来る。また、被支援者は将来支払う返済金を被支援者の年収の割合に応じて一定期間支払うことにした場合は、支払いがいわば将来の出世払いとなり、例えば医学部等多額の学費を必要とする場合は精神的にも非常に楽となる。これにより進学意欲も高められる。また、社会人の場合失業により返済不能になるリスクも少ない。【００３３】  支援者は被支援者の将来性に期待して資金を提供し、被支援者の数の多いグループに出資した場合はリスクも小さくなり、本システムの管理者からある一定の配当金を受け取ることが出来る。
【図面の簡単な説明】
【００３４】
【図１】本システムにおける基本構成を示す全体構成図である。
【図２】本システムにおける契約までの作業の流れを示す図である。
【図３】本システムにおけるページ１の表示例を示す図である。
【図４】本システムにおけるページ３の表示例を示す図である。
【図５】本システムにおけるページ２の表示例を示す図である。
【発明を実施するための形態】
【００３５】  以下、添付図を参照しながら本システムについて説明する。図１は本発明にかかる本システムの基本構成を示すシステムの全体構成図を例示したものである。また、図２は本システムにおける契約までの作業の流れを示す図である。また、図３は本システムにおけるページ１の表示例を示す図である。また、図４は本システムにおけるページ３の表示例を示す図である。また、図５は本システムにおけるページ２の表示例を示す図である。なおこれらのホームページには、企業または組織の広告あるいはお知らせを掲載することもできる。
【００３６】  本システムは、システム管理者１、被支援者側ネット２、支援者側ネット３によって構成され、システム管理者１の運用にかかるホームページ４を介してそれぞれが連携されている。
【００３７】  また、被支援者及び支援者は本システム登録時に、システム管理者より会員番号を与えられる。そして表示はすべてこの会員番号で行われる。
【００３８】  システム管理者１のサーバーにはホームページ４が設定され、本発明を運用するためのページ１が形成される。このページ１には被支援者側ネット２から支援者側に向けて発信される被支援者の情報と、その情報の内被支援者が公開するとする情報と、支援を求める金額と、返済条件が、インターネットまたはコンピューターを用いたネットワークを通じて書き込まれる。その情報を基にシステム管理者１は被支援者の将来の可能性や期待値を算出し、ページ１に掲載する。
【００３９】  次に、被支援者はページ１に表示された自分の将来の所得金額の期待値および返済額の期待値および返済可能金額の期待値から、返済条件の変更を行う。すなわち、ページ１の返済金額の所得金額に対する返済割合や返済期間の変更を行う。そして、再度入力内容の確認を行う。
【００４０】  同様に、支援者側ネット３からは支援者側の情報と、その情報の内支援する人が公開するとする情報と、支援金額と、希望する被支援者の特徴、被支援者の返済条件がインターネットまたはコンピューターを用いたネットワークを通じてページ３に書き込まれる。
【００４１】  ここで、被支援者および支援者としてふさわしくない者の場合は当初の本システム利用申し込み契約時にシステム管理者１によって適正に審査し、不適格者が排除される。
【００４２】  ページ１に入力を終えた被支援者は、ページ２に移行する。ページ１に入力した内容の内、自分がページ１で公開するとした内容の情報のみが自分の会員番号とともに掲載されている。この段階では、まだ、このデータは他の会員からは見えない。なお、既に公開されている被支援者や支援者の情報は見ることが出来る。ここでシステム管理者１から、この情報を公開して支援を求めるかどうかの確認が求められる。ここで公開して支援を求めるという解答をして、公開期間を設定すれば、この公開期間だけこの情報が公開されて他の会員からもこの被支援者の情報が見えるようになり、その公開期間に公開されている支援者の条件と合致するものが表示される。被支援者はこれらの支援者の内最良の条件を提示している支援者を支援者候補とすればよい。ここで、情報を公開するとは、被支援者あるいは支援者の情報が、システム管理者１以外の他の被支援者または支援者からも見ることが出来る状態をいう。
【００４３】  ここで、被支援者がこの支援者候補の条件で満足しない場合は公開期間を延長することもできるし、公開を取りやめて、再度ページ１に戻って情報の公開の範囲を変更して、再度同様の作業を行うこともできる。例えば、大学名を明らかすることにより母校の先輩が支援の手をさしのべてくれるかもしれない。
【００４４】  同様に、ページ３に入力を終えた支援者は、ページ２に移行する。ページ３に入力した内容の内、自分がページ３で公開するとした内容の情報のみが自分の会員番号とともに表示されている。この段階では、まだ、このデータは他の会員からは見えない。なお、既に公開されている被支援者や支援者の情報は見ることが出来る。ここでシステム管理者１から、この情報を公開して支援を行うかどうかの確認が求められる。ここで公開して支援を行うという解答し、公開期間を設定すれば、この情報が公開されて他の会員からもこの支援者の情報が見えるようになり、その公開期間に公開されている被支援者の条件と合致するものが表示される。支援者はこれらの被支援者の内最良の条件を提示している被支援者を被支援者候補とすればよい。
【００４５】  ここで、支援者がこの支援者候補の条件で満足しない場合は公開期間を延長することができる。また、支援金をいくつかに小分けして複数の被支援者に支援することもできる。ただし、この場合は１人の被支援者に対して複数の支援者が必要になるかもしれない。そのため、支援者候補の確定までに時間を要するかもしれないし、支援者候補が確定しない場合もあり得る。支援者候補が確定しない場合は、被支援者が条件を再設定する必要があるかもしれない。
【００４６】  支援者候補が確定すると、被支援者に対してシステム管理者１から、支援者候補を支援者とするかどうかの確認が求められる。ここで、支援者とするという解答をすればこの支援者候補が支援者となる。そして、同様に、支援者の場合も、システム管理者１から被支援者候補を被支援者とするかどうかの確認が求められる。ここで、被支援者とするという解答をすればこの被支援者候補が被支援者となる。
【００４７】  そして、被支援者、支援者が確定した段階で、システム管理者１から、契約するかどうかの意志の確認が求められる。両者が了解すれば仮契約となる。契約内容の詳細はシステム管理者１を介して後日契約書として正式に契約する。なお、この場合でも、個人情報の保護の観点から、契約の相手方は、特別な場合を除き、被支援者はシステム管理者１と、支援者はシステム管理者１とする。
【００４８】  なお、公開から仮契約までの一連の作業に要する期間は、入力条件の変更を伴わない場合は短くなるが、被支援者の側からすれば、支援者の提示する条件に満足しない場合は情報の公開範囲を変更したり公開期間を延長したりするし、支援者の側からすれば公開期間を延長したり、支援金を分散させたりするので、かなりの期間を要する場合もあるかもしれない。このため、ページ２の内容は、被支援者側ネット２および支援者側ネット３からインターネットまたはコンピューターを用いたネットワークを通じてアクセスすることにより常時確認可能であるものとする。
【００４９】  これらの作業に関して、システム管理者１は、被支援者側ネット２および支援者側ネット３のそれぞれから発信された情報をチェックし、内容があまりに極端で将来問題が生ると判断される場合は、情報の公開を保留するか、内容の修正を行うよう支援者あるいは支援者を指導するものとする。
【００５０】  ここでは、システム管理者１と被支援者側ネット２の個々の利用者との契約等あるいはシステム管理者１と支援者側ネット３の個々の利用者との契約等に関しては、契約が成立した場合は、被支援者側あるいは支援者側からシステム管理者１に対して仲介手数料が支払われる。あるいは、返済金より受け取る場合は返済金の内の一定額あるいは一定割合が被支援者側からシステム管理者１に対して支払われる。
【実施例】
【００５１】  実施の例として例えば次のような例が考えられる。すなわち、学生生活に必要な資金が６００万円とし、親の仕送りとアルバイトで３００万円を得るとすると３００万円が不足する。この３００万円を本システムで調達するとする。この学生が大学卒業後２０年間の総所得が１億円とし、年所得の４％を２０年間にわたって返済金として返済したとすると返済額の合計は４００万円となる。これは３００万円を年利３％で借りて元利金等で２０年間で返済した場合の返済額の合計約４００万円とほぼ同じとなる。もしこの学生が優良企業に就職し、２０年間の総所得が１億以上の場合は、支援者は出資した金額以上の配当を得ることになる。しかし、総所得が１億以下の場合は、出資した金額以下の配当しか得られないことになる。しかし、この場合でも、学生の側にしてみれば、所得に応じた返済をするため、返済が容易である。この場合、システム管理者１が手数料を取る場合は、学生の返済する返済金に手数料が上積みされる。なお、企業からの協賛金が得られる場合は、手数料を無料にすることもできる。【００５２】  具体的な作業の手順を示すと、学生はページ１に大学名、学部名、成績、将来の希望、学生が公開するとする情報、支援を求める金額と、返済条件等を入力する。するとシステム管理者１から、将来の所得金額や返済額の期待値や返済可能額の期待値が表示される。この期待値を見て、返済条件を修正する。そしてページ２に移行して、公開期間を設定して公開する。すると支援者の一覧が表示されこの中で最良の返済条件を提示している支援者を選択する。この学生の希望する返済条件が２０年間所得金額の４％を支払うことであるとし、この支援者の返済条件が同じ内容であればこの支援者と契約すればよい。【００５３】  他の実施の例として例えば次のような例が考えられる。すなわち、支援者が１００万円の出資を表明したとして、優良大学の成績優秀学生、この場合大学名個人名は支援者からはわからないものとする、に出資するとする。この学生の支援希望額が３００万円とすると、この支援者以外に２００万円を出資する他の支援者が現れた場合契約成立となる。この学生が大学卒業後就職し２０年間の総所得が１億円とし、年所得の４％を２０年間にわたって返済金として返済したとすると返済額の合計は４００万円となる。この支援者が受け取る配当金は出資比率に従って返済額全体の１／３を受け取ることになる。この場合、システム管理者１が手数料を取る場合は学生の返済する返済金に手数料が上積みされる。なお、企業からの協賛金が得られる場合は、手数料を無料にすることもできる。この場合、支援者が配当金として最低限の保証を求めた場合は、システム管理者１は保険会社と契約して保険をかけることになる。だだし、この場合の保険料は出資金に上乗せされる。【００５４】  この場合の具体的な作業の手順を示すと、支援者はページ３に支援者名、支援者が公開するとする情報と、支援金額と、希望する支援される人の特徴と、支援される人の返済条件等を入力する。そしてページ２に移行して、公開期間を設定して公開する。仮にこの支援者の被支援者の特徴としてある大学を指定したとすると、ある大学の被支援者の一覧が表示される。この中���最良の返済条件を提示している被支援者を選択する。この学生の希望する返済条件が２０年間所得金額の４％を支払うことであるとし、この支援者の返済条件が同じ内容であればこの支援者と契約すればよい。ただし、この支援者の出資金は１００万円なので、あと２００万円を出資する支援者が現れないと契約は成立しない。
【符号の説明】
【００５５】１  システム管理者
２  被支援者側ネット
３  支援者側ネット
４  ホームページ（サーバー）
ページ１  被支援者向けページ
ページ２  被支援者・支援者向けページ
ページ３  支援者向けページ
【図１】
2010262617.tif 000003
【図２】
2010262617.tif 000004
【図３】
2010262617.tif 000005
【図４】
2010262617.tif 000006
【図５】
2010262617.tif 000007